(57)【特許請求の範囲】
【請求項１】
落とし扉を有する箱罠本体と、
該箱罠本体の前記落とし扉および落とし扉以外の部分において、何れか一方側に設けられた戻り止め制御部と、該戻り止め制御部が設けられていない他方側に設けられ、前記落とし扉が閉じ作動するときに、前記戻り止め制御部と協働して、前記落とし扉の反転上昇を阻止し、かつ継続落下は許容する戻り止め部材とを有する戻り止め手段と、
前記箱罠本体に動物が入ったことを感知して、前記落とし扉を閉じ作動させるトリガー部とを備えており、
前記戻り止め制御部が、前記落とし扉に上下方向へ断続的に設けられ、各々が上端部から厚み方向へ曲げ傾斜された複数の誘導片と、各誘導片の間、かつ誘導片の上端部または上端部より上に形成された係止部とを有し、
前記戻り止め部材が、前記戻り止め制御部の方向へ付勢され、その方向において進退動が可能であり、前記誘導片の下側が前記戻り止め部材からより遠くなる側から、前記戻り止め部材の先端部を前記戻り止め制御部に付勢力をもって接触させている
動物用箱罠。
【請求項２】
前記戻り止め部材が、前記落とし扉が最下部まで落ちたときに、前記落とし扉の上端部より上方で前記落とし扉の上昇を止めるよう突出する
請求項１の動物用箱罠。
【請求項３】
前記落とし扉の下端部に、動物の身体に刺さるか、または引っ掛かる返り止め部が形成されている
請求項１または２の動物用箱罠。
【発明の詳細な説明】
【技術分野】
【０００１】
本発明は、動物用箱罠に関するものである。更に詳しくは、罠の内部に動物が入って落とし扉が落ちる際に、動物が逃げようとして落とし扉を跳ね上げてその下に潜ろうとしても、落とし扉の反転上昇を阻止して脱出させないようにすることにより、動物の捕獲率を向上させることができる動物用箱罠に関する。
【背景技術】
【０００２】
近年においては、狩猟者の高齢化と人数の減少もあり、例えばタヌキやイタチ、あるいはアナグマなどの、もともと日本に棲息している比較的小型の動物（獣）の数が増えている。それに加えて、在来種以外の、例えばアライグマなどのように外国原産で、ペットとして輸入されたものの、飼育者が様々な理由から飼いきれなくなったために捨てられたり、あるいは逃げ出したりしたものが野生となり繁殖して増えている。
【０００３】
このような外来種の動物が、里に下りて農作物を食い荒らし、あるいは人間に危害を及ぼす事態も頻繁に起こっており、在来種も含め、その数を減少させるための対策が必要とされている。
そこで、多くの自治体などでは、その対策に動いているが、現時点では、増えすぎた動物の処分は、罠や銃を使用した狩猟によるのが現実的とされ、狩猟の現場においては、上記のような比較的小型の動物を効率的に捕獲できる罠が望まれている。その一例として、特許文献１に記載された罠がある。
【０００４】
特許文献１に記載の箱形罠装置は、扉に係合挿入部と協働して扉の仕掛け高さを調節する複数の係合受部が設けられ、係合受部は係合挿入部が挿入される係合孔を備えており、トリガーの進退部材は、常時扉の方向へ付勢されており、トリガーが作動して落とし扉が落下する際に、動物が逃げようとして、落下途中で落とし扉を跳ね上げようとしても、落とし扉の反転上昇を阻止することができるようになっている。
【先行技術文献】
【特許文献】
【０００５】
【特許文献１】特開２０１２−３９９２８号公報
【発明の概要】
【発明が解決しようとする課題】
【０００６】
上記箱形罠装置は、落下式の扉をセットする高さを調節できるようにして、俊敏な小動物に逃げられてしまうことを防止する、という点では、充分な機能を備えており有用である。
しかしながら、箱形罠装置を様々な状況下で使用するにつれ、次のような改善の余地があることも分かってきた。
【０００７】
すなわち、特許文献１の箱形罠装置は、落とし扉の反転上昇を止める上昇止め具が、前後方向へ揺動する構造となっており、しかも、上昇止め具を落とし扉の上端縁と係止する方向へ付勢する力は、上昇止め具が備えている錘ネジの重さを利用したものであるため、力がいかにも弱く、揺動（作動）も安定しているとはいえない。
【０００８】
このため、罠の内部に入った動物が、例えばイノシシなどのように敏捷性があり、かつ落とし扉を跳ね上げて脱出しようとする力も極めて強い場合、落とし扉が反転上昇しようとする際の衝撃で、上昇止め具が弾かれて係止できず、結果的に、落とし扉の反転上昇を止めることができずに、動物に逃げられてしまうおそれがあった。
【０００９】
本発明は、以上の点に鑑みて創案されたものであり、動物用箱罠において、罠の内部に動物が入って落とし扉が落ちる際に、動物が逃げようとして落とし扉を跳ね上げてその下に潜ろうとしても、落とし扉の反転上昇を阻止して脱出させないようにすることにより、動物の捕獲率を向上させることができる動物用箱罠を提供することを目的とする。
【課題を解決するための手段】
【００１０】
（１）本発明は、落とし扉を有する箱罠本体と、該箱罠本体の前記落とし扉および落とし扉以外の部分において、何れか一方側に設けられた戻り止め制御部と、該戻り止め制御部が設けられていない他方側に設けられ、前記落とし扉が閉じ作動するときに、前記戻り止め制御部と協働して、前記落とし扉の反転上昇を阻止し、かつ継続落下は許容する戻り止め部材とを有する戻り止め手段と、前記箱罠本体に動物が入ったことを感知して、前記落とし扉を閉じ作動させるトリガー部とを備える動物用箱罠である。
【００１１】
（２）本発明は、前記戻り止め制御部が、前記落とし扉に上下方向へ断続的に設けられ、各々が上端部から厚み方向へ曲げ傾斜された複数の誘導片と、各誘導片の間、かつ誘導片の上端部または上端部より上に形成された係止部とを有し、前記戻り止め部材が、前記戻り止め制御部の方向へ付勢され、その方向において進退動が可能であり、前記誘導片の下側が前記戻り止め部材からより遠くなる側から、前記戻り止め部材の先端部を前記戻り止め制御部に付勢力をもって接触させている上記（１）の発明に係る動物用箱罠である。
【００１２】
この場合は、落とし扉が落ちるときには、戻り止め部材は、戻り止め制御部に対し、先端部を各誘導片に付勢力をもって接触させながら、相対的に上方へ移動する。この動きによれば、戻り止め部材の先端部は、各誘導片の傾斜面を下から上方向へなぞるように移動するので、止まることなくスムーズに移動でき、更に係止部を下から上方向へ超えると、次の誘導片の傾斜面に移り、戻り止め部材が進退動しながらこれを繰り返すことで、落とし扉はスムーズに落ちる。
【００１３】
また、落とし扉が落ち始めてから、動物が逃げようとして落とし扉の下端部に当たり、落とし扉が停止したときには、戻り止め部材の先端部は、戻り止め制御部において、ほとんどの場合、何れかの誘導片の傾斜面に位置している。この状態から、落とし扉が反転上昇しようとすると、戻り止め部材の先端部は、戻り止め制御部に対し、相対的に下方向へ移動し、直ぐ下の係止部と係止し、落とし扉の反転上昇は止まる。
【００１４】
（３）本発明は、前記戻り止め部材が、前記落とし扉が最下部まで落ちたときに、前記落とし扉の上端部より上方で前記落とし扉の上昇を止めるよう突出する上記（１）、（２）または（３）の発明に係る動物用箱罠である。
【００１５】
この場合は、落とし扉が最下部まで落ちた後、動物が落とし扉の下端部に爪を掛けるなどして脱出しようとしても、戻り止め部材の先端部が引っ掛かったり係止したりするのとは違って、戻り止め部材の全体で落とし扉の上昇を止めるので、その抑止をより確実に行うことができる。
【００１６】
（４）本発明は、前記落とし扉の下端部に、動物の身体に刺さるか、または引っ掛かる返り止め部が形成されている上記（１）または（２）の発明に係る動物用箱罠である。
【００１７】
この場合は、例えば箱罠の落とし扉が閉じ作動したとき、逃げようとする動物の背中や尻が、落とし扉の返り止め部に当たって刺さったり引っ掛かったりすると、動物は驚いて反射的に奥側へ飛び退いたり、落とし扉の下を潜り抜けようとして暴れる。落とし扉は、動物による下からの支えが外れたり下がったりする度に落ちるので、動物が飛び退いた瞬間に、最下部まで落ちてしまう。また、動物が、落とし扉の下を潜り抜けようとしても、返り止め部が身体に引っ掛かって容易には抜けられない。
【００１８】
（作用）
本発明の動物用箱罠の作用を説明する。
動物用箱罠を、まず落とし扉を上昇させ、トリガー部によって落とし扉を支えるようにしてセットする。そして、セットした動物用箱罠を、獣道などの適当な場所に置き、箱罠の内部に餌を入れて仕掛ける。
【００１９】
箱罠本体に動物が入ると、トリガー部がこれを感知し、落とし扉を閉じ作動させる。閉じ方向に落下する落とし扉は、戻り止め制御部と戻り止め部材が協働する戻り止め手段が落下は許容するので、スムーズに落ちる。また、落とし扉は、外へ逃げようとする動物に当たって止まる場合があるが、落とし扉が止まった位置から反転して上昇する、いわゆる反転上昇は戻り止め手段により阻止される。
【００２０】
なお、落とし扉は、戻り止め手段により、停止位置からの継続落下は許されるので、動物が暴れるうちに、動物による下からの支えが外れたり下がったりする度に落ちる。すなわち、落とし扉の途中停止後は、落とし扉の下に開いている開口部は狭まる一方であり、最終的には、落とし扉は閉じてしまい、動物は脱出することができない。
【発明の効果】
【００２１】
本発明は、動物用箱罠において、罠の内部に動物が入って落とし扉が落ちる際に、動物が逃げようとして落とし扉を跳ね上げてその下に潜ろうとしても、落とし扉の反転上昇を阻止して脱出させないようにすることにより、動物の捕獲率を向上させることができる動物用箱罠を提供することができる。
【図面の簡単な説明】
【００２２】
【図１】本発明に係る動物用箱罠の一実施の形態を示し、落とし扉を開けたセット状態の斜め前方から見た斜視図である。
【図２】本発明に係る動物用箱罠の一実施の形態を示し、落とし扉を開けたセット状態の斜め後方から見た斜視図である。
【図３】動物用箱罠の戻り止めピンの位置での縦断面図である。
【図４】動物用箱罠の戻り止めピンの位置での縦断面図であり、罠作動時の各部の動きを示す縦断面説明図である。
【図５】本発明に係る動物用箱罠の一実施の形態を示し、落とし扉を閉じた状態の斜め前方から見た斜視説明図である。
【図６】本発明に係る動物用箱罠の一実施の形態を示し、落とし扉を閉じた状態の斜め後方から見た斜視説明図である。
【図７】戻り止めピンの作用を示し、（ａ）は落とし扉の落下時における戻り止め作用を示す一部断面説明図、（ｂ）は落とし扉が落ちたときのロック作用を示す一部断面説明図である。
【図８】落とし扉の構造を示し、（ａ）は下端側の一部の正面視説明図、（ｂ）は（ａ）のＹ−Ｙ断面図である。
【図９】第１のトリガー部を構成する係止具の他の例を示し、（ａ）は平面図、（ｂ）は側面図である。
【発明を実施するための形態】
【００２３】
本発明を図面に示した実施の形態に基づき詳細に説明する。
図１、図２、図３および図７、図８を参照する。
なお、以下の説明において、方向や位置関係を示す「前」、「後」、「左」、「右」の各用語は、図１において、順に「前」が「右斜め下側」、「後」が「左斜め上側」、「左」が「左斜め下側」、「右」が「右斜め上側」を表すものである。
【００２４】
動物用箱罠Ａは、箱罠本体１と、箱罠本体１に設けられている開閉部材２、２ａと、同じく何れも箱罠本体１に設けられている第１のトリガー部３および第２のトリガー部４、４ａを備えている。なお、動物用箱罠Ａは、罠としての充分な強度を付与するために、ほぼ全体が金属部材（主にスチール板などの非透光性材料）で形成されている。以下、各部について、その構造を詳細に説明する。
【００２５】
（箱罠本体１）
箱罠本体１は、構成部材である前後にやや長い長方形状の底面板１０、側面板１１、１２および上面板１３を有しており、これら各板は、互いに長辺側に設けたフランジ部（符号省略）をネジで止めて直角に固定することで、ほぼ四角筒形状に形成されている。これにより、箱罠本体１の前端部には、前部開口部１４が形成され、底面板１０の前端部上面には、平鋼で形成された受部材１００が固定されている。また、箱罠本体１の後端部には、後部開口部１５（便宜上、図３、図４に示す）が形成されている。
【００２６】
前部開口部１４側には、ガイド体１６、１６ａが、側面板１１、１２の内面に沿うように固定されて立設されている。ガイド体１６、１６ａは、互いに同じ長さであり、それぞれ二枚の等辺山形鋼を一辺の幅方向にややずらして重ね、固着した構造である。これにより、ガイド体１６、１６ａには、全長にわたり、後述する落とし扉１７の昇降を案内する案内溝１６０、１６０ａが相対向して形成されている。
【００２７】
ガイド体１６、１６ａには、閉じることで動物を罠内部で捕獲できる構成部材である落とし扉１７が、左右両側を案内溝１６０、１６０ａに差し入れて、昇降スライド可能に嵌装されている。落とし扉１７は、前部開口部１４を塞ぐことができる四角形状に形成されている。落とし扉１７は、後述する背面板１９が後部開口部１５を閉じ、自身は前部開口部１４を閉じることで、箱罠本体１内部に動物を閉じ込めて捕獲することが可能になる。
【００２８】
ここで、落とし扉１７の構造を説明する。
落とし扉１７は、長方形状の封鎖板１７０を有している。封鎖板１７０の上端部には、前方へ直角に曲げられた上部フランジ１７１が、左右両端側の一部を除いて形成されている。上部フランジ１７１の両端寄りには、後で説明する第２のトリガー部４、４ａを作動させる板状の衝突部材１７２、１７２ａが、封鎖板１７０と直角に、かつ封鎖板１７０より後方へ突出して固定されている。
【００２９】
図８を参照する。
封鎖板１７０の下端部には、左右両端側の一部を除いて切り欠かれて上下に同幅の歯口部１７３が形成されている。なお、歯口部１７３が形成されることで、その両側に形成される当たり部１７７、１７７ａの幅は、上記ガイド体１６、１６ａの案内溝１６０、１６０ａに差し入れる幅とほぼ同じに設定されている。
【００３０】
封鎖板１７０の下端部側の内面には、歯板１７４が固定されている。歯板１７４は、長方形の平板であり上記歯口部１７３の幅よりやや短いベース部１７４ａと、その下端縁にベース部１７４ａと後方へやや角度を以て形成された、多数の山形の歯からなる返り止め部である歯部１７４ｂで構成されている。
【００３１】
歯板１７４は、ベース部１７４ａを封鎖板１７０の歯口部１７３近傍に固定して取り付けられており、歯部１７４ｂの歯先は、当たり部１７７、１７７ａより若干高い位置で揃えてある。これにより、落とし扉１７が落ちて、封鎖板１７０の当たり部１７７、１７７ａが底板１０の先端の受部材１００に当たっても、歯部１７４ｂの先端はつぶれにくい（図８参照）。
【００３２】
封鎖板１７０は、左右方向における中央寄りの二箇所に上下方向に一定間隔で設けられた係止孔１７５を有している。各列の係止孔１７５は、それぞれ歯板１７４よりやや上の位置から、封鎖板１７０の約１／２の高さの位置まで、複数（本実施の形態では四箇所）形成されている。互いに同じ高さにある係止孔１７５には、後述する第１のトリガー部３の係止具３０の先端部が挿脱される。
【００３３】
封鎖板１７０において、左側の係止孔１７５の列のやや左寄りには、歯板１７４よりやや上の位置から上端位置まで、戻り止め制御部である戻り止め部１７６が上下方向に形成されている。戻り止め部１７６は、個々が上部を残して縦コ字状に一辺を残して打ち抜かれ、等間隔で上下方向へ設けられた多数の誘導片１７６ａを、同じ角度（本実施の形態では約１０°）で外面側へやや曲げて形成されている（図７参照）。
【００３４】
この構造により、各誘導片１７６ａを打ち抜いて形成された窓部（符号省略）の下側の縁部は、戻り止め部材である戻り止めピン１３１を係止させる係止部である止め縁１７６ｂとなる。戻り止めピン１３１は、落とし扉１７または戻り止め部１７６と協働し、落とし扉１７の落下途中または落下後の反転上昇を阻止するように作用するもので、戻り止めピン１３１およびその作用については後述する。
【００３５】
なお、落とし扉１７の落下途中または落下後の反転上昇を阻止するようにする構成は、上記戻り止め部１７６と戻り止めピン１３１が協働する構成に限定されるものではなく、落とし扉１７が下降する途中で一旦止まり、上方向の力が作用しても、落とし扉１７をほぼその高さ（位置）で止めて、閉じる方向へ下降することしか許可しない構成であれば、他の各種公知手段を採用することもできる。
【００３６】
また、箱罠本体１の両側面板１１、１２には、それぞれ複数の貫通した横長で長孔形状の採光窓部１８が形成されている。採光窓部１８は、群としては側面板１１、１２のやや下寄りに、個々としては上から順に、横方向へ三個、四個、三個、四個の互い違いの配置で設けられている。外部からは、各採光窓部１８を通して内部を見ることができる。なお、採光窓部１８の符号は、表示の便宜上、内面側から見た採光窓部１８を表した図１、図３及び図４にのみ表している。
【００３７】
側面板１１の前後側、かつ上部側には、二箇所に把手１１９が設けられている。また、側面板１２も同様に、その前後側、かつ上部側の二箇所に把手１２９が設けられている。各把手、１１９、１２９は、上部（内天部）に指を掛けるタイプの把手である。なお、把手１１９、１２９および後述する把手１９９は、捕獲された動物が内側から囓ったりしても、容易には外れないように、例えば側面板１１、１２および背面板１９に螺着したネジの頭で把手の縁を抑えるなど、固定具によって固定を強化することもできる。
【００３８】
（開閉部材２、２ａ）
側面板１１には開閉部材２が、側面板１２には開閉部材２ａが摺動しながら昇降できるように設けられている。開閉部材２、２ａは、平板で形成され、横長でほぼ長方形状のスライド板部２０、２０ａと、スライド板部２０、２０ａの上辺の中央から上方へ延ばされた延長片２１、２１ａでそれぞれが形成されている。延長片２１、２１ａの上端には、それぞれ内方へ直角に曲げられた停止片２２、２２ａが形成されている。停止片２２、２２ａには、後述するトリガー部４、４ａの係止具４０の係止部４０１が係止され、これにより開閉部材２、２ａがセット位置に設定される。
【００３９】
開閉部材２、２ａのスライド板部２０、２０ａには、合わせ窓部２３、２３ａがそれぞれ複数設けられている。各合わせ窓部２３は、上記側面板１１に設けられている各採光窓部１８の配置と同じ配置で、同じ形状に形成され、各合わせ窓部２３ａは、上記側面板１２に設けられている各採光窓部１８の配置と同じ配置で、同じ形状に形成されている。このため、合わせ窓部２３、２３ａのそれぞれと採光窓部１８が合わさると、採光窓部１８の大きさで採光が可能になる。
【００４０】
また、開閉部材２、２ａには、図１、図２などに示すように、縦方向に長い複数の長孔２００が形成されている。開閉部材２、２ａは、外側から各長孔２００を通して側面板１１、１２のネジ穴（符号省略）にネジ２０１を螺合し、そのネジ頭と開閉部材２、２ａとの間に所要の隙間を設けることにより、長孔２００の長さの範囲で、側面板１１、１２の表面と接しながら昇降できるようにしてある。
【００４１】
なお、各長孔２００のうち、延長片２１、２１ａに形成されている長孔２００に対応するネジは蝶ネジ２０２としており、例えば罠のセッティングの際、あるいは内部に捕獲されている動物を確認する際など、開閉部材２、２ａを動かして仮止めする必要が生じたような場合に、作業がしやすいようにしている。
【００４２】
底面板１０、両側面板１１、１２および上面板１３の後端部には、後部開口部１５を開閉することができる背面板１９が設けられている。背面板１９の上側には、上部（内天部）に指を掛けるタイプの把手１９９が設けられている。背面板１９は、四辺に補強フランジ部１９１を形成した構造である。両側部の補強フランジ部１９１の下端寄りには、嵌込部１９２、１９３が設けられている。
【００４３】
背面板１９は、上側の各嵌込部１９２を両側面板１１、１２に設けられた受ピン１０１に嵌め込んで回動可能に装着されている。また、背面板１９は、開くように回動したときに、下側の各嵌込部１９３が両側面板１１、１２に設けられた受ピン１０２に係合して、４０°程度開いたところで止まるようになっている（図４参照）。
【００４４】
なお、背面板１９は、上面板１３の左右両側の後端部に設けられたＬ字型の掛止め具１０３の下に折れ曲がった部分を掛けることによって、開くことを防止できるようになっている。なお、背面板１９を開けるときは、各掛止め具１０３を外側へ回して、下に折れ曲がった部分が両側面板１１、１２側に位置するようにして邪魔にならないようにする。
【００４５】
（第１のトリガー部３）
上面板１３には、箱罠本体１内部に動物が入ったことを感知して、上記落とし扉１７を落とす第１のトリガー部３（以下、本実施の形態の説明では、単にトリガー部３という）を備えている。
トリガー部３は、上面板１３の左右方向の中央、かつ前後に所要間隔をおいて固定された軸支具３１、３２を有している。
【００４６】
軸支具３１、３２には、先部に刺股状の係止部３００を有し、ほぼ全体を丸棒体で形成された係止具３０が、前後方向へ進退動ができるように通されて軸支されている。係止部３００は、前側の軸支具３１と落とし扉１７の間に位置しており、係止部３００の両先端部（符号省略）は、同じ高さの左右に隣り合う係止孔１７５に挿脱できるようにしてある。なお、係止部３００が斜めに傾斜した首部（符号省略）の先端に設けられていることにより、係止部３００が比較的水平に保たれるので、係止部３００の両先端を係止孔１７５に合わせて差し込むセッティングの際に作業がしやすい。
【００４７】
係止具３０の後端寄りには、係止具３０の長さ方向に固定位置の調節が可能なワイヤ止め具３０１が固定されている。また、係止具３０の後部側、かつ後側の軸支具３２より前側には、トリガー部３の作動の感度を調節することができる感度調節部３０２が設けられている。
【００４８】
感度調節部３０２は、係止具３０が後方へ引っ張られたときに、その抵抗となるバネ３０３を備えたもので、そのバネ３０３の作動前の圧縮度を調節することで、トリガー部３の感度を調節することができる構造である。
【００４９】
また、上面板１３において、上記軸支具３２の後方、かつ上面板１３の後端寄りには、軸支具３４が固定されている。軸支具３４のやや後方には、前後方向に長い長孔１３０が貫通して形成されている。長孔１３０の幅は、中継ロッド３５の外径よりやや広く形成されており、長孔１３０には、中継ロッド３５が通されている。
【００５０】
中継ロッド３５は、上端側の一部を長孔１３０から上方へ突出させるようにし、横軸３５０により前後方向に揺動できるように軸支具３４に取り付けてある。なお、中継ロッド３５は、横軸３５０より下側の方が、横軸３５０より上側と比べて長尺で重いので、常態においては軸方向が鉛直方向になる。
【００５１】
箱罠本体１の内部において、中継ロッド３５の下方には、可動式の餌箱３６が設けられている。餌箱３６は、餌入れ部３６０と、その後部に立設されており中継ロッド３５と係合する係合部３６１を備えている。餌入れ部３６０の底部の左右両側には、側面板１１、１２に設けてある受ピン１００に嵌め込む嵌込片３６２を備えている。
【００５２】
また、中継ロッド３５において横軸３５０より上側には、長さ方向の三箇所に、括れた掛け溝３５１が形成されている。そして、掛け溝３５１のひとつと、上記ワイヤ止め具３０１には、接続ワイヤ３０４が掛けられている。本実施の形態では、接続ワイヤ３０４の一端部をワイヤ止め具３０１に固定し、接続ワイヤ３０４の他端側に設けたΩ形状の掛け部（符号省略）を掛け溝３５１に嵌め込むように掛けて、掛け溝３５１とワイヤ止め具３０１が接続されている。
【００５３】
この構造によれば、図３の状態から餌箱３６が前に倒れると、中継ロッド３５の下側が前方向へ出るように回動し、同時に後方へ倒れる中継ロッド３５の上側により接続ワイヤ３０４が後方へ引かれ、係止具３０も後方へ引かれて退動する。なお、トリガー部３には、トリガー部３の作動と共に、罠から離れたところに罠の作動を報知する発信機（図示省略）をセットしておくこともできる。
【００５４】
また、上面板１３において、トリガー部３の左側には、上記戻り止め部１７６と協働して作用する戻り止めピン１３１を備えている。戻り止めピン１３１は、後端部側が直角に曲げられており、前部の真っ直ぐな部分を上面板１３に固定された固定具１３２の二箇所の通孔１３３、１３４に通し、更にバネ１３５によって前方へ付勢して、先端が戻り止め部１７６の後面側に接触するようにした構造である。
【００５５】
すなわち、戻り止めピン１３１は、誘導片１７６ａの下側が戻り止めピン１３１からより遠くなる側から、戻り止めピン１３１の先端部を戻り止め部１７６に付勢力をもって接触させてある。なお、戻り止め部１７６と戻り止めピン１３１が協働する戻り止め手段は、落とし扉１７の反転上昇は阻止するが、落下（下降動作）は許容する。
【００５６】
なお、本実施の形態では、戻り止め部１７６を落とし扉１７に設け、戻り止めピン１３１を上面板１３に設けたが、これに限定するものではなく、逆に戻り止めピンを落とし扉に設け、戻り止め部を上面板や側面板に設けることもできる。また、戻り止め部と戻り止めピンを設ける箇所は、落とし扉と上面板に限定するものではなく、上記ガイド体と落とし扉でもよい。
【００５７】
（第２のトリガー部４、４ａ）
上面板１３において、左右両端部寄りには、箱罠本体１内部に動物が入り、落とし扉１７が落ちたことを感知して、上記開閉部材２、２ａを採光窓部１８が塞がるように作動させる第２のトリガー部４、４ａ（以下、本実施の形態の説明では、単にトリガー部４、４ａという）が設けられている。
【００５８】
なお、トリガー部４、４ａは、左右対称形状であるので、以下の構造の説明においては、一方のトリガー部４についてのみ説明し、トリガー部４ａの構造は説明を省略する。また、トリガー部４ａを示した図においては、トリガー部４と同じ箇所に同じ符号を付して示す。
【００５９】
トリガー部４は、上面板１３の左端部寄りに設けられ、前後に所要間隔をおいて固定された軸支具４１、４２を有している。軸支具４１、４２には、ほぼ全体を丸棒体で形成された係止具４０が、軸周方向に所要の角度範囲で回転できるように、かつ前後にほとんど進退動をしないようにして軸支されている。なお、本実施の形態では、各係止具４０は中間部分を接合具（符号省略）で接合した構造であるが、これに限定するものではなく、丸棒体で全体をつくってもよい。
【００６０】
係止具４０の先端部には、Ｌ字型の作用部４００が形成されている。また、係止具４０の後端部には、後端部を直角に曲げた係止部４０１が形成されている。なお、作用部４００において係止具４０の前後に長い部分と直角な部分（符号省略）と係止部４０１との、係止具４０の前後に長い部分の軸周方向の角度は、ほぼ９０°に設定されている。
【００６１】
また、前側の軸支具４１には、内方へ形成された作用部４００の上方向への回動を止めるストッパー４１０が形成されている。係止具４０の作用部４００が、ストッパー４１０に当たった状態で、係止部４０１は、図１、図２に示すように、鉛直位置からやや外側へ回った角度の位置で止まるようになっている。
【００６２】
なお、図１、図２に示す罠のセット状態では、この状態で、開閉部材２の停止片２２（開閉部材２ａでは停止片２２ａ）を係止部４０１の先端にそれぞれ載せるようにする。これにより、係止部４０１に開閉部材２の重さの一部が作用し、係止具４０の、作用部４００がストッパー４１０に下から当たり、更に開閉部材２が所要の高さにセットされた状態が維持される。
【００６３】
上記トリガー部４、４ａの各作用部４００は、上記落とし扉１７の各衝突部材１７２、１７２ａの真下に設けられている。これにより、落とし扉１７が落ちると、衝突部材１７２、１７２ａが各作用部４００に衝突して、トリガー部４、４ａの各係止具４０が内方向へ回転し、各係止部４０１と停止片２２、２２ａとの係止が外れて開閉部材２、２ａが落ちるようになっている。
【００６４】
（作用）
図１ないし図８を参照して、動物用箱罠Ａの作用について説明する。
（１）動物用箱罠Ａを、図１、図２および図３に示すセット状態（入れる餌は示していない）で、獣道またはその近傍の適当な箇所に仕掛ける。セットの方法は、まず落とし扉１７を上昇させて、適当な高さの係止孔１７５に、トリガー部３を構成する係止具３０の係止部３００の両先端部をバネ３０３の付勢力を利用して差し込む。
【００６５】
また、トリガー部４、４ａの各係止具４０を軸周方向において外回りさせ、ストッパー４１０に作用部４００を当てた状態で、開閉部材２、２ａの停止片２２、２２ａを係止部４０１の先端にそれぞれ載せる。そして、動物用箱罠Ａを適当な場所に置いた後、背面板１９を開け、餌箱３６に餌５（図４参照）を入れ、背面板１９を閉じて仕掛けが完了する。
【００６６】
（２）動物用箱罠Ａを仕掛けた状態では、開閉部材２、２ａの各合わせ窓部２３、２３ａと、側面板１１、１２の採光窓部１８の位置が合っているので、採光窓部１８が開いており、特に夜間の月明かりも含め外光があるときは、箱罠本体１の内部が比較的明るくなる。これにより、箱罠本体１の内部にある餌５が見えやすくなると共に、餌５に吊られて中に入ろうとする動物が感じる、箱罠本体１の内部の閉塞感、換言すれば、箱罠本体１の内部を危険と感じる警戒心をやわらげることができる。また、餌５の臭いも採光窓部１８から外部へ漏れ出すので、動物を誘引する効果に優れる。
【００６７】
（３）動物６（図４参照）が、箱罠本体１の内部にある餌５を取ろうと、落とし扉１７が開いた前部開口部１４から侵入し、餌を取るときに餌箱３６が前に倒れることによって、トリガー部３が作動し、係止具３０が引かれて、係止孔１７５と係止部３００の係止状態が解除され、落とし扉１７が落ちる。
【００６８】
戻り止めピン１３１は、前方へ付勢されているので、落とし扉１７が落ちるときに、戻り止めピン１３１の先端部は、相対的には戻り止め部１７６の後面側（各誘導片１７６ａの後面側）を下から上へなぞることになる。これによれば、落とし扉１７が落ちるときの戻り止めピン１３１の戻り止め部１７６の後面側に対する相対的な移動は、戻り止めピン１３１が僅かに進退動するだけで、大きな抵抗を生じることなく移動できる。すなわち、落とし扉１７は、自重によってスムーズに下降することができる。
【００６９】
また、仮に落とし扉１７が下降する際に、下端部の歯部１７４ｂが動物の腰などに当たって止まった場合、動物が逃げようとして落とし扉１７を跳ね上げようとしても、歯部１７４ｂが動物の外への移動を邪魔すると共に、戻り止めピン１３１の直ぐ下に位置している戻り止め部１７６の止め縁１７６ｂが戻り止めピン１３１に当たり、落とし扉１７の反転上昇をさせないようになっている（図７（ａ）参照）。
【００７０】
また、落とし扉１７は、閉じ作動したとき、逃げようとする動物の背中や尻が、落下する落とし扉１７の歯部１７４ｂに当たって刺さったり引っ掛かったりすると、動物は驚いて反射的に奥側へ飛び退いたり、落とし扉１７の下を潜り抜けようとして暴れる。落とし扉１７は、動物による下からの支えが外れたり下がったりする度に落ちるので、落とし扉１７の途中停止後は、落とし扉１７の下に開いている開口部（前部開口部１４の一部にあたる）は狭まる一方であり、動物が飛び退いた瞬間に、最下部まで落ちてしまう。また、動物が、落とし扉１７の下を潜り抜けようとしても、歯部１７４ｂが身体に引っ掛かって容易には抜けられず、結果的に動物６は捕獲される。
【００７１】
また、落とし扉１７が落ちて、底面板１０の受部材１００に当たると、その高さでは落とし扉１７の上端の上部フランジ１７１の高さが、戻り止めピン１３１の先部より低くなる。これにより、戻り止めピン１３１は、その先部が上部フランジ１７１の上部に乗り出すように、更に突出する（図７（ｂ）参照）。
【００７２】
これによれば、落とし扉１７が最下部まで落ちた後、動物が落とし扉の下端部に爪を掛けるなどして脱出しようとしても、戻り止めピン１３１の先端部が引っ掛かったり係止したりするのとは違って、戻り止めピン１３１の全体で落とし扉１７の上昇を止めることができるので、その上昇の抑止をより確実に行うことができる。
【００７３】
（４）落とし扉１７が下まで落ちると、衝突部材１７２、１７２ａがトリガー部４、４ａの係止具４０の作用部４００に衝突し、各係止具４０が軸周方向において内方向へ回り、開閉部材２、２ａの停止片２２、２２ａと係止具４０の係止部４０１の係止状態が解除され、開閉部材２、２ａは側面板１１、１２の外側面を摺動しながら下方へ落ちる。
【００７４】
これにより、側面板１１、１２の各採光窓部１８は、開閉部材２、２ａの合わせ窓部２３、２３ａ以外の部分で塞がれる。各採光窓部１８が閉じられると、罠の外から箱罠本体１内部の様子を見ることはできなくなり、捕獲された動物６が内部で暴れる音や鳴き声も外に聞こえにくくなる。
【００７５】
また、動物６を動物用箱罠Ａで捕獲した後、動物用箱罠Ａの外に動物がいても、その動物に罠の内部に他の動物が捕獲されている状況を悟らせないので、動物用箱罠Ａが、罠の外にいる動物自身にとっても危険であることを学習させないようにすることができる。その結果、その動物が学習していない分だけ、後に平均的な確率で同様の罠にかかる可能性が高くなり、動物の捕獲率の維持、あるいは捕獲率の低下の防止を図ることができる。
【００７６】
なお、上記罠の作動において落とし扉１７が落ちる際、逃げようとする動物が当たって反転上昇をしようとするときに、仮に係止部３００の両先端部が落とし扉１７の係止孔１７５に入ってしまった場合は、落とし扉１７の上昇が止まる替わりに、下降もしなくなってしまう。これでは、動物が逃げてしまう可能性が高いので、図９に示すような係止具３０ａを採用することもできる。
【００７７】
係止具３０ａは、トリガー部３の係止具の他の例を示している。係止具３０ａの係止部３００ａの両側のうち、左側（図９で下側）は丸棒体をそのまま曲げてつくられており、右側（図９で上側）は丸棒体に角棒体３０５を接合してつくられている。係止部３００ａの両先端部には、より径小な差込部３０６が形成されている。
【００７８】
係止具３０ａの各部のサイズは、係止部３００ａの両先端部の差込部３０６の直径が３ｍｍ、他の丸棒部の直径が６ｍｍ、角棒体３０５の太さ（断面正方形の一辺）が８ｍｍである。したがって、係止部３００ａの両側のうち、角棒体３０５側が重くなっており、その重みで角棒体３０５側が下がるので、係止部３００ａは水平にはなりにくい。
【００７９】
これにより、係止部３００ａの両先端部の差込部３０６は、落とし扉１７の水平に並んだ係止孔（図示省略）に同時に係止されることは、ほとんど起こらない。したがって、落とし扉１７が落下している途中で反転上昇しようとして止まったときに、偶然に各差込部３０６と各係止孔が合ってしまい、落とし扉１７が上下両方向へ動かなくなってしまうことを防止できる。
【００８０】
なお、係止具３０ａを採用する場合の落とし扉１７の係止孔（図示省略）の内径も、各径小部が入るように３ｍｍより若干径大に設定されている。このように、落とし扉１７の係止孔をより小さな内径で形成することによって、動物が捕獲された際にも、罠の外部にいる動物が、係止孔から内部を覗いてもよく見えず、鳴き声なども外部へ漏れにくくなる。
【００８１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００８２】
Ａ  動物用箱罠
１  箱罠本体
１０  底面板
１００  受部材
１１、１２  側面板
１１９、１２９  把手
１３  上面板
１３０  長孔
１４  前部開口部
１５  後部開口部
１６、１６ａ  ガイド体
１６０、１６０ａ  案内溝
１７  落とし扉
１７０  封鎖板
１７１  上部フランジ
１７２、１７２ａ  衝突部材
１７３  歯口部
１７７、１７７ａ  当たり部
１７４  歯板
１７４ａ  ベース部
１７４ｂ  歯部
１７５  係止孔
１７６  戻り止め部
１７６ａ  誘導片
１７６ｂ  止め縁
１８  採光窓部
１９  背面板
１９９  把手
１９１  補強フランジ部
１９２、１９３  嵌込部
１００、１０１、１０２  受ピン
１０３  掛止め具
２、２ａ  開閉部材
２０、２０ａ  スライド板部
２１、２１ａ  延長片
２２、２２ａ  停止片
２３、２３ａ  合わせ窓部
２００  長孔
２０１  ネジ
２０２  蝶ネジ
３  トリガー部
３０  係止具
３００  係止部
３０１  ワイヤ止め具
３０２  感度調節部
３０３  バネ
３０４  接続ワイヤ
３１、３２  軸支具
３４  軸支具
３５  中継ロッド
３５０  横軸
３５１  掛け溝
３６  餌箱
３６０  餌入れ部
３６１  係合部
３６２  嵌込片
１３１  戻り止めピン
１３２  固定具
１３３、１３４  通孔
１３５  バネ
４、４ａ  トリガー部
４０  係止具
４００  作用部
４０１  係止部
４１、４２  軸支具
４１０  ストッパー
３０ａ  係止具
３００ａ  係止部
３０５  角棒体
３０６  差込部
【図１】
0006478405.tif 000002
【図２】
0006478405.tif 000003
【図３】
0006478405.tif 000004
【図４】
0006478405.tif 000005
【図５】
0006478405.tif 000006
【図６】
0006478405.tif 000007
【図７】
0006478405.tif 000008
【図８】
0006478405.tif 000009
【図９】
0006478405.tif 000010